(57)【要約】【課題】強度面、機能面および施工面ですぐれ、斜面に支柱を長スパンで設置しても斜面を跳ねながら転がり落ちる落石を確実に防護することができる信頼性の高い大スパン落石防護構造を提供する。【解決手段】斜面の幅方向に上下方向で傾動可能に立建した一対の支柱と、それら支柱の谷側から枝状に突出するように付設された補助支柱と、前記一対の支柱の頭頂間に張設した主ロープに取り付けられて垂下する簾状金網と、前記補助支柱の頭頂間に張設した横主ロープに取り付けられ、幅方向両端部がロープで斜面に固定されたポケット状金網を備えた。【選択図】図２
2010112103.tif 000002
【特許請求の範囲】
【請求項１】
斜面の幅方向に上下方向で傾動可能に立建した一対の支柱と、それら支柱の谷側から枝状に突出するように付設された補助支柱と、前記一対の支柱の頭頂間に張設した主ロープに取り付けられて垂下する簾状金網と、前記補助支柱の頭頂間に張設した横主ロープに取り付けられ、幅方向両端部がロープで斜面に固定されたポケット状金網を備えたことを特徴とする落石防護ネット構造。
【請求項２】
支柱頭部と補助支柱頭部がステーで連結されている請求項１記載の落石防護ネット構造。
【請求項３】
支柱に取り付けた補助支柱がヒンジ構造である請求項1または２のいずれかに記載の落石防護ネット構造。
【請求項４】
支柱の頭頂間に張り渡した主ロープと補助支柱の頭頂間に張り渡した横主ロープを複数本の連結ロープで結んでいる請求項1ないし３のいずれかに記載の落石防護ネット構造。
【発明の詳細な説明】
【技術分野】
【０００１】
本発明は家屋・道路等に落石の恐れがある斜面の落石防護構造に関する。
【背景技術】
【０００２】
法面などの斜面で落石が発生した場合、岩石は斜面を飛び跳ねながら落下し、下方の家屋や道路を直撃したり、人体や交通機関に大きな被害をもたらしたりする。
この対策として、従来から多くの落石防護工法が開発され、設置されており、その代表的なものとして、斜面を跳ねながら転がり落ちる落石を金網で誘導して落石を停止させるポケット式ロックネット工法が知られている。
【０００３】
このポケット式ロックネット工法は、落石を受け入れる口を設けるために斜面に吊りロープや支柱サイドロープで固定した支柱を短間隔たとえば３ｍ間隔で設置していたので、落石を受け止めるときに前記支柱や吊りロープに落石が衝突し、支柱が折れ曲がったり、吊りロープが破断したりするなどしてロックネット全体が破壊することがあった。
【０００４】
この対策として、支柱の間隔を長くし、落石の多い沢状部等での支柱の設置を避け、斜面の左右両側に１２〜３０ｍのスパン長の間隔で支柱を建て込み、吊りロープやサイドロープ等で斜面に支持固定し、左右の支柱に防護ネットを掛け渡し、さらに左右の支柱に掛け渡したロープと防護ネットをロープで連結し、防護ネットの強度不足による落石防護ネット装置の崩壊現象を食い止めるようにした提案がされている。
【０００５】
しかし、この工法では支柱への落石の直撃及び崩壊現象は軽減されるが、落石が金網を直撃した場合、補強が不十分なため金網を突き破る現象が起る危険があり、さらに、斜面を飛び跳ねながら落下する落石が支柱に掛け渡したロープと防護ネットの間をすり抜け、受け入れ口を飛び越える危険もあり、落石防護の確実性と信頼性が十分とはいえなかった。
【特許文献１】特許第３８７４７６９号
【発明の開示】
【発明が解決しようとする課題】
【０００６】
本発明は前記のような問題点を解消するために創案されたもので、その目的とするところは、強度面、機能面および施工面ですぐれ、斜面に支柱を長スパンで設置しても斜面を跳ねながら転がり落ちる落石を確実に防護することができる信頼性の高い大スパン落石防護構造を提供することにある。
【課題を解決するための手段】
【０００７】
上記目的を達成するため、本発明は、斜面の幅方向に上下方向で傾動可能に立建した一対の支柱と、それら支柱の谷側から枝状に突出するように付設された補助支柱と、前記一対の支柱の頭頂間に張設した主ロープに取り付けられて垂下する簾状金網と、前記補助支柱の頭頂間に張設した横主ロープに取り付けられ、幅方向両端部がロープで斜面に固定されたポケット状金網を備えたことを特徴としている。（請求項１）
【発明の効果】
【０００８】
本発明によれば、斜面の幅方向に上下に傾動可能に一対の支柱を立設し、それら支柱の谷側に枝状に突出するように補助支柱を付設し、前記一対の支柱の頭頂間に主ロープを張設しその主ロープに簾状金網を垂下させているので、飛び跳ねた落石が簾状金網に衝突することで衝突エネルギーが減衰され、ポケット状金網で下方に誘導される。また、簾状金網はポケット状金網の上方にあるので、落石のすり抜けや飛び越しも防止できる。
さらに、支柱から前方に突出する補助支柱の頭頂間に張設した横主ロープにポケット状金網の上縁部を取り付けているので、ポケット口を大きくすることが可能になって、飛び跳ねる落石を効果的にポケットに受け入れることができ、ポケット状金網がロープで斜面に固定されているので、下方に飛び跳ねる石も効果的に誘導できる。
【０００９】
また、上記のように落石の取り込み口が大きくなるので支柱を小型化することができ、これにより斜面での支柱の建て込み作業を大幅に軽減することができるとともに、防護網のコンパクト化が図られるので工事が容易となる。さらに、落石の大半はまず簾状金網を直撃し、落石エネルギーの減衰したものがポケット状金網に誘導されるので、ポケット状金網の傷みが少なくなり、補修は主として簾状金網の補修に留まるので、メンテナンスも容易且つ安価になる。
【発明を実施するための最良の形態】
【００１０】
好適には、支柱頭部と補助支柱頭部がステーで連結されている。
これによれば、ポケット状金網に過大な負荷が加わった場合、補助支柱に加わる力がステーにより支柱に分散されるので、安全である。
好適には、支柱に取り付けた補助支柱がヒンジ構造となっている。
これによれば、横主ロープに荷重が加わった場合、支柱と補助支柱の接続部に加わる曲げ応力に追随で接続部に加わる応力を分散でき、落石の衝撃エネルギーを減衰して、ステーと相まって補助支柱の破壊を防止できる。ステーは、衝撃荷重が加わった場合伸びることで衝撃エネルギーを吸収することができるのでロープが望ましい。
【００１１】
また、支柱の頭頂部間に張り渡した主ロープと補助支柱の頭頂部間に張り渡した横主ロープを複数本の連結ロープで結んでいる。
これによれば、主ロープに加わる衝突荷重は連結ロープにより横主ロープに伝達されるので、主ロープの負荷が緩和される。また、横主ロープに加わる衝撃荷重は同様に主ロープに伝達されるので、横主ロープの負荷が緩和される。
【実施例１】
【００１２】
以下添付図面を参照して本発明の実施例を説明する。
図１は本発明による大規模型落石防護ネット構造の実施例を示しており、符号１は本発明による防護ネットである。２，２は斜面幅方向（左右方向）の一対の支柱であり、傾斜面の落石頻度の高い沢状部ａを挟んで幅が概ね３０ｍの間隔で、落石が割合少なく地盤の比較的良い場所に立設されている。
【００１３】
一対の支柱２，２は、図３のようにそれぞれコンクリート基礎２４上にセメントアンカーボルトで固着されたブラケット付きプレート２１に下端部がヒンジ結合されることにより上下方向で傾動可能に立建され、斜面に対し垂直状など任意の角度を設定した状態で山側斜面にアンカーされた支柱吊りロープ８１及びスパン方向（幅方向）の斜面にアンカーされたサイドロープ９１で固定されている。
【００１４】
４は前記一対の支柱２、２の頭頂間に張設した主ロープであり、該主ロープ４は支柱頂部に設けたガイド溝９５を経由して両端部が斜面にアンカー８０、８０で固定されている。前記主ロープ４には支柱２、２間の全域にわたる幅を持つ金網がその上縁部を結合コイル４３により取り付けられ、簾状に吊り下げられている。この簾状金網４１には図４のように縦横に複数本の補強用ロープ４２が配されるとともに、図５のように結合コイル４３で取り付けられており、縦横ロープ４２の交差部は交差クリップで結合されている。
【００１５】
一対の支柱２、２にはそれぞれ中間部より上方の谷側に面する位置に、補助支柱３が上下方向で傾動可能にヒンジ結合されている。一対の補助支柱３、３の頭頂間には横主ロープ６が張設されており、その横主ロープ６は、補助支柱頂部のガイド溝９５を経由して両端部が斜面にアンカー８０、８０で固定されている。
横主ロープ６には補助支柱３、３間の全域にわたる幅の金網５１の上縁部が取り付けられており、金網５１は図２のようにポケット状を呈するように吊り下げられている。ポケット状金網５１には図１のように縦横に複数本の補強用ロープ５２が配設されるとともに結合コイル４３で金網と連結され、縦横ロープ５２の交差部は交差クリップで結合されている。
【００１６】
さらに落石を下方にスムーズに誘導できるようにするため、横補助ロープ１０がポケット状金網５１の数箇所に配設され、金網と結合コイル４３で結合されており、前記横補助ロープ１０の両端部は、幅方向両側の斜面にセメントジョーアンカーなどのアンカー９０で固定されている。セメントジョーアンカーとは、図９のようにボルト状本体の上端部がＵ字状をしたものである。さらに、落石が流出しないように、金網５１の下縁部はピンアンカー（図示せず）などで、谷側の斜面に密着させている。
【００１７】
支柱２は図３のように頭部にスパン幅方向に左右２つのブラケット２３，２３が設けられており、支柱２は前記ブラケット２３，２３を介してステー９１、９１たとえばロープにより斜面スパン幅方向にアンカーされている。アンカーはたとえば図９に示すようなセメントジョーアンカーボルト９０が用いられ、これにステーとしてのロープがシャックルを介して連結されており，張力はターンバックル８６などで調整するようになっている。
【００１８】
また、支柱２の頭部には山側及び谷側にブラケット２４，２４が設けられており、支柱２は山側のブラケット２４を介して吊りロープ８１で山側斜面上方にアンカー８０で固定されている。アンカーはたとえば図８に示すアンカーボルトが用いられ、これの上端に対ブラケット付きプレートなどからなる連結金物８５が定着され、対のブラケットに渡した軸に吊りロープの端部が連結されており、吊りロープ８１の張力はターンバックル８６等で調整されるようになっている。
【００１９】
支柱２頂部には、前述のように主ロープ４をスパン幅方向にガイドするガイド溝９５が設けられている。一対の支柱２、２に主ロープ４が前記ガイド溝９５を経由するよう掛け渡され、主ロープ４がガイド溝９５を外れずにスライド可能にするためガイド溝上部がたとえばボルトナット９６で外れ止めされている。
主ロープ４、４の両端部はアンカー８０で固定されている。アンカーはたとえば図８に示すアンカーボルトが用いられ、これの上端に対ブラケット付きプレートなどからなる連結金物８５が定着され、対のブラケットに渡した軸に主ロープ４の端部が連結され、張力はターンバックル８６等で調整されるようになっている。
【００２０】
次に補助支柱３について説明すると、補助支柱３は図３（ｂ）に示すように支柱２の谷側に付設されている。支柱２の中間部にはヒンジ用ブラケット２９が取り付けられており、補助支柱３の後端が前記ブラケット２９の溝２９１に嵌め込まれ、支軸２９２が貫挿されることにより工法面の傾斜に最適な角度で前方に張り出せるように上下に傾動可能に連結されている。
さらに、補助支柱３の頭部には山側にブラケット３４が取り付けられ、支柱２の頭部ブラケット２４と補助支柱頭部ブラケット３４がステー２２たとえばロープで連結されている。ロープは衝撃荷重が加わった場合伸びることで衝撃エネルギーを吸収することができるので適切である。
【００２１】
補助支柱３の頭部にはスパン幅方向に左右２つのブラケット３３，３３が取り付けられており、補助支柱３はブラケット３３，３３を介してステー９１たとえばロープでスパン幅方向にアンカーされている。アンカーはたとえば図９に示すセメントジョーアンカーボルト９０が用いられこれによって地盤に連結されており、ステーの張力はターンバックル８６で調整するようになっている。
【００２２】
補助支柱３頂部には横主ロープ６をスパン幅方向にガイドするガイド溝９５が設けられており、横主ロープ６が一対の補助支柱３、３のガイド溝９５を経由するよう掛け渡され、横主ロープ６がガイド溝９５を外れずにスライド可能にすべくスライド溝９５の上部をたとえばボルトナット９６で外れ止めしている。横主ロープ６の両端部は図８のようにアンカー８０に定着された連結金物８５に固定され、横主ロープ６の張力はターンバックル８６で調整されるようになっている。
【００２３】
前述のように、本発明は、図２と図４のごとく主ロープ４に金網を簾状に吊り下げている。主ロープ４はたとえば７×７構造で直径２４ｍｍの亜鉛めっきロープが用いられ、簾状金網４１はたとえば直径５ｍｍの亜鉛めっきワイヤを５０ｍｍ×５０ｍｍのひし形に編んだものが用いられ、これにたとえば直径１４ｍｍの補強ロープ４２を縦横に５ｍ間隔で配し、金網に結合コイル４３で連結固定しており、縦横の補強ロープ４２の交点はクロスクリップ等（図示せず）の結合金具で結合されている。金網、補強ロープ、クロスクリップ等は防食のため亜鉛めっき等が施されているが景観維持のため樹脂塗装されていることが望ましい。
簾状金網４１の主ロープ４への取り付けは、図５に示すように簾状金網４１の上端縁部を谷側から山側に主ロープ４を包み込んで折り曲げ、主ロープ４と金網を縫うように結合コイル４３で結合することで行われており、簾状金網４１は支柱スパン間に簾状に垂下される。
【００２４】
次に横主ロープ６に吊り下げるポケット状金網５１について説明する。横主ロープ６はたとえば構造７×７で直径２４ｍｍの亜鉛めっきロープである。ポケット状金網５１はたとえば直径４ｍｍのワイヤを５０ｍｍｘ５０ｍｍのひし形に編んだものが用いられ、たとえば３×７構造、直径１２ｍｍの補強ロープ５２を縦横に３ｍ間隔で配し、金網に結合コイル４３で付設してある。ポケット状金網５１の横主ロープ６への取り付けは、主ロープ４への取り付けと同様なので省略する。
【００２５】
次に横補助ロープ１０に付いて説明すると、横補助ロープ１０はポケット状金網５１に上下方向に５ｍ間隔で配され、金網に結合コイル４３で付設されており、前記横補助ロープ１０，１０の両端末は、斜面に設けたアンカーたとえば図９のセメントジョーアンカーにシャックルおよびターンバックル８６を介し結合され、これで金網のスパン幅方向を斜面に接するように敷設しており、かつ落石を効率よく下方に誘導できるように、前記横補助ロープの張力はターンバックル８６で調整される。
【００２６】
ポケット状金網５１の最下方端部の横補助ロープ１０は、落石がポケット状金網５１からすり抜けないように斜面に沿うようにアンカーされているが、金網と斜面との間に隙間がある場合は斜面に沿うようにピンアンカー（図示せず）を打ち込み、斜面に密着させることもできる。
また、金網、補強ロープ、クロスクリップ等は防食のため亜鉛めっき等が施されているが、景観維持のため樹脂塗装されていることが望ましい。
【００２７】
支柱２、２に張設した主ロープ４と補助支柱３、３に張設した横主ロープ６は、スパン間で図１に示すように複数個所を縦の連結ロープ７で連結している。連結は少なくとも３箇所、多くとも９箇所が望ましい。少なすぎると連結の効果が失われ、多すぎると落石が連結ロープを直撃し落石の誘導に支障をきたすことがあるからである。
図６は主ロープ４と連結ロープ７の結合を示しており、中央部に凹状の溝７２とボルトを通す結合穴７３を持つ二枚の金属板状の連結金具７０を凹状溝７２に主ロープを挟み込むように合わせ、且つ両端を環状に加工した連結ロープの一端の環状部７４を同様に挟み込み、結合穴７３及び連結ロープの環状部にボルトを挿入しナットで主ロープ４に固定している。横主ロープ６と連結ロープ７の結合は、主ロープ４との連結と同様なので説明を省略する。
【００２８】
本発明の落石防護ネットによれば、吊りロープ８１とサイドロープ９１，９１によって左右一対の支柱２，２を斜面と直角状あるいはそれに近い角度に立設し、支柱２，２の前面側に補助支柱３，３を取り付けて支柱２，２より斜面前方に突出させ、こうした補助支柱３，３の頭頂間に張設した横主ロープ６にポケット金網５１を取り付けており、落石の取り込み口を大きくとることができるので、飛び跳ねる落石を効果的にポケット金網５１に受け入れて誘導できる。さらに、ポケット状金網５１が横ロープで斜面に固定されているので、下方に飛び跳ねる石も効果的に誘導できる。また、落石の取り込み口が大きくなるので、支柱２，２を小型化でき、斜面での支柱の建て込み作業が大幅に軽減できる。
【００２９】
斜面の幅方向に立建した一対の支柱２，２の頭頂間に張設した主ロープ４に簾状金網４１を鉛直方向に吊り下げているため、飛び跳ねた落石が衝突することで簾状金網の撓みで衝突エネルギーが減衰され、ポケット状金網で下方に誘導される。また、簾状金網４１はポケット状金網５１の上方にあるので、落石のすり抜けや飛び越しも防止できる。
さらに、落石が直接衝突する簾状金網４１の撓みで落石エネルギーが吸収されるので、落石がポケット状金網５１を破壊して防護ネットから飛び出すことはない。
【００３０】
支柱２，２の頭頂部間に張り渡した主ロープ４と補助支柱３，３の頭頂部間に張り渡した横主ロープ６を縦のロープ７で連結しているので、主ロープ４に加わる衝突荷重は連結したロープ７により横主ロープ６に伝達され、また、横主ロープ６に加わる衝撃荷重は同様に主ロープ４に伝達され、それぞれのロープの負荷が緩和され、このように落石の衝撃荷重を分散し合うので、落石防護ネットの安全性が高められる。
【００３１】
従って、これらの相乗効果により、従来の防護網に比べてコンパクト化が図られ、工事が容易となり、品質も安定し信頼性が向上する。さらに、落石の大半はまず垂れ下がっている簾状金網４１を直撃し、落石エネルギーの減衰したものがポケット状金網５１に誘導されるので、ポケット状金網５１の傷みの発生が少なくなり、補修は主として簾状金網４１の補修で足りることになるので、従来の防護網の取替えに比べ、メンテナンスを容易且つ安価に行える。
【００３２】
また、支柱頭部と補助支柱頭部がステー２２で連結されているので、ポケット状金網５１に過大な負荷が加わった場合、補助支柱３，３に加わる力がステーにより支柱２，２に分散され、破損を防止できる。
さらに、支柱２，２に取り付けた補助支柱３，３がヒンジ構造となっているので、横主ロープ６に荷重が加わった場合、支柱２，２と補助支柱３，３の接続部に加わる曲げ応力に追随して接続部に加わる応力を分散でき、ステーと相まって落石の衝撃エネルギーによる補助支柱３，３の破壊を防止することができる。ステーはロープが望ましい。
【００３３】
図１０は本発明の他の実施例を示しており、道路に面した斜面に本発明の支柱２，２間を１スパンとした落石防護ネットを、左より第一スパン１０１、第二スパン１０２、第三スパン１０３と連続して複数設置したものである。
第一スパン１０１は前記実施例1により設置されたもので、第二スパン１０２は第一スパン１０１の右側の支柱２をスパン左側の支柱２として同様に実施例1により設置されたものである。第三スパン以降も同様にして設置されている。
本発明によれば隣接するスパンの支柱２を一方の支柱として利用するので、スパンごとに一対の２本の支柱を立建する必要がない。従って、広範囲に連続して落石が及ぶような箇所への適用が有効であり、支柱の数が大幅に減少し、材料費を含む工事費を大幅に削減できる効果がある。
【図面の簡単な説明】
【００３４】
【図１】本発明による落石防護ネット構造の一実施例を示す部分切欠正面図である。
【図２】本発明による落石防護ネット構造の一実施例を示す側面図である。
【図３】（ａ）は図１の支柱及び補助支柱の拡大正面図、（ｂ）は側面図である。
【図４】図２のＸ−Ｘ線に沿う断面図である。
【図５】（ａ）はロープで主ロープと横主ロープの連結部分を示す正面図、（ｂ）は側面図である。
【図６】（ａ）はロープと金網との結合状態を示す正面図、（b）は側面図である。
【図７】支柱及び補助支柱の頭頂部を示す平面図である。
【図８】アンカー金具の一例を示す側面図である。
【図９】アンカーの一例を示す正面図である。
【図１０】本発明の別の実施例を示す正面図である。
【符号の説明】
【００３５】
１      落石防護ネット
ａ      斜面
２      支柱
２２    ステー
３      補助支柱
４      主ロープ
４１    簾状金網
５１    ポケット状金網
６      横主ロープ
７      連結ロープ
【図１】
2010112103.tif 000003
【図２】
2010112103.tif 000004
【図３】
2010112103.tif 000005
【図４】
2010112103.tif 000006
【図５】
2010112103.tif 000007
【図６】
2010112103.tif 000008
【図７】
2010112103.tif 000009
【図８】
2010112103.tif 000010
【図９】
2010112103.tif 000011
【図１０】
2010112103.tif 000012